(57)【要約】【課題】多数の設定項目を有するＦＰＵ装置等の各項目の確認、設定および変更を迅速且つ簡単に行うようにする多機能電子機器およびその操作方法を提供する。【解決手段】多機能電子機器（ＦＰＵ装置）１０は、その操作パネル上にそれぞれ隣接して確認用操作キー１１、設定用操作キー１２およびＬＣＤ等の操作部１５を備えている。また、ユーザ毎に異なる操作項目を設定してカスタマイズする複数の操作スイッチ１８を有する。各操作スイッチ１８の設定は、ＥＥＰＲＯＭ等の記憶部１３に格納される。各項目の設定や確認は、設定用操作キー１２の操作により表示部１５の表示画面の表示に基づいてより行う。【選択図】図４
2008108152.tif 000002
【特許請求の範囲】
【請求項１】
複数の設定用操作キーおよび確認用操作キーを含み、ユーザが適宜設定可能な複数の項目を有する多機能電子機器において、
前記設定用操作キーおよび前記確認用操作キーの近傍に配置され前記操作キーの操作に関連する文字や図形を表示する表示部を設けると共に、複数の操作スイッチを設けて各スイッチの操作項目をユーザ毎に設定して内部の記憶部に格納することによりカスタマイズ可能にされることを特徴とする多機能電子機器。
【請求項２】
前記表示部には、前記複数の項目のうち比較的重要な項目とそれ以外の項目に分け、前記比較的重要な項目は前記それ以外の項目より大きなサイズの文字や図形で表示されることを特徴とする請求項１に記載の多機能電子機器。
【請求項３】
前記表示部には、前記複数の項目のうち選択・設定される項目を他の項目と異なり、ユーザが容易に認識可能な表示形態で表示することを特徴とする請求項１又は２に記載の多機能電子機器。
【請求項４】
前記表示部には、予め決められた所定の順序の表示と、メイン画面から予め決められた最終画面にジャンプして切り替え可能であることを特徴とする請求項１、２又は３に記載の多機能電子機器。
【請求項５】
前記多機能電子機器は、送信部および受信部を含む無線伝送装置であり、周波数、伝送モードおよび入出力電力を前記重要項目とすることを特徴とする請求項１乃至４の何れかに記載の多機能電子機器。
【請求項６】
複数の設定用操作キー、確認用操作キーおよびこれら操作キーの近傍に配置された表示部に基づき多機能電子機器の複数の項目の確認、設定、変更の操作を行う多機能電子機器の操作方法において、
前記複数の項目のうち重要な項目とそれ以外の項目を区別するステップと、
前記設定用操作キーの操作に応じて前記表示部に各項目毎に階層状に表示するステップと、
前記表示部に表示される前記複数の項目のうち前記重要な項目をそれ以外の項目より大きなサイズで表示するステップと
を備えることを特徴とする多機能電子機器の操作方法。
【請求項７】
前記表示部に表示される前記項目の確認画面から設定画面へ直接切り替えるショートカットステップを更に備えることを特徴とする請求項６に記載の多機能電子機器の操作方法。
【発明の詳細な説明】
【技術分野】
【０００１】
本発明は多機能電子機器およびその操作方法に関し、特に送信部および受信部を含む無線伝送装置等のＦＰＵ（Field Pickup Unit）装置およびその多数の項目の設定、確認および変更等の操作を行う操作方法に関する。
【背景技術】
【０００２】
ＣＰＵ（中央処理装置）等の半導体集積回路技術の進歩および普及により、電子機器は、ますます多機能且つ高性能化している。無線伝送装置であるＦＰＵ装置は、映像および音声信号を圧縮し、ＯＦＤＭ／ＱＡＭに変調し、選択された周波数に変換して無線（電波）発射する機能を備え、主にテレビ局用のニュース素材の伝送や生中継等の映像および音声信号の伝送に使用されている。このＦＰＵ装置は、アナログ方式からデジタル方式に移行するに際して、１台の装置でアナログ方式、シングルキャリアＱＡＭ（Quadrature Amplitude Modulation：直交振幅変調）方式（デジタル方式）、マルチキャスト方式（デジタル方式）等の数種類の伝送方式を有する装置となっている。また、デジタル方式の場合には、周波数、伝送モード、変調方式および入出力電力等のユーザが設定可能な多数のパラメータ又は項目が存在する。
【０００３】
斯かるデジタル方式のＦＰＵ装置は、無線伝送に関するパラメータや映像および音声信号の圧縮に関するパラメータと共に音声、映像、ＤＣ電圧レベルおよびアラームの状態等の多数の設定項目を有する。このＦＰＵ装置を含む多機能電子機器において、上述の如き多数の設定可能な項目をそれぞれ独立して操作キーにより操作して設定、変更又は確認することは、斯かる電子機器の小型軽量化が要求される時代の要請にそぐわない。そこで、比較的限られた数の設定用操作キーを使用し且つ効率的に操作する必要がある。
【０００４】
斯かる技術分野又は関連する技術分野における従来技術は、多くの技術文献に開示されている。比較的小サイズのディスプレイに表示される文字の一部を指定倍率で拡大表示することにより、視認性を低下させることなく多くの情報を表示可能にする携帯型情報表示装置が開示されている（例えば、特許文献１参照）。小型の液晶表示パネル等の表示画面に表示される文字数により、表示物のサイズを拡大又は縮小して表示する携帯電話装置が開示されている（例えば、特許文献２参照）。また、タッチパネル液晶表示装置を使用し、画像形成条件の設定値が基準値の上か下かに応じて表示文字を反転又は異なる背景色で表示する画像形成機の設定値表示方法および装置が開示されている（例えば、特許文献３参照）。更に、表示画面に表示される文字のうち、カーソルで選択された１行の文字を拡大又は異なる文字色又は背景色で表示して見易くする携帯端末および文字表示方法が開示されている（例えば、特許文献４参照）。
【０００５】
【特許文献１】特開２０００−６６８０１号（第３頁、第４図）
【特許文献２】特開２００３−６０７６７号公報（第４頁、第２図）
【特許文献３】特開２００３−６６７８４号公報（第８頁、第４図）
【特許文献４】特開２００３−１３２０４８号公報（第４頁、図２および図４−６）
【発明の開示】
【発明が解決しようとする課題】
【０００６】
上述の如き従来技術は限られたサイズの表示装置に表示される文字のサイズや表示色を変えて見易さを改善する技法を開示している。しかし、多機能電子機器の多数の設定項目のうち、重要度に応じて異なる表示、ユーザ毎に異なる操作を可能にするカスタマイズ機能等により多数の項目の確認、設定、変更を迅速且つ簡単にする多機能電子機器やその操作方法を開示するものではない。
【０００７】
本発明は、従来技術の上述の如き課題に鑑みなされたものであり、限られた数の設定用操作キーを使用して多数の項目の迅速且つ簡単な設定、変更、確認を可能にする多機能電子機器およびその操作方法を提供することを目的とする。
【課題を解決するための手段】
【０００８】
本発明による多機能電子機器およびその操作方法は、次の如き特徴的な構成を採用している。
【０００９】
（１）複数の設定用操作キーおよび確認用操作キーを含み、ユーザが適宜設定可能な複数の項目を有する多機能電子機器において、前記設定用操作キーおよび前記確認用操作キーの近傍に配置され前記操作キーの操作に関連する文字や図形を表示する表示部を設けると共に、複数の操作スイッチを設けて各スイッチの操作項目をユーザ毎に設定して内部の記憶部に格納することによりカスタマイズ可能にされる多機能電子機器。
（２）前記表示部には、前記複数の項目のうち比較的重要な項目とそれ以外の項目に分け、前記比較的重要な項目は前記それ以外の項目より大きなサイズの文字や図形で表示される上記（１）の多機能電子機器。
（３）前記表示部には、前記複数の項目のうち選択・設定される項目を他の項目と異なり、ユーザが容易に認識可能な表示形態で表示する上記（１）又は（２）の多機能電子機器。
（４）前記表示部には、予め決められた所定の順序の表示と、メイン画面から予め決められた予め決められた最終画面にジャンプして切り替え可能である上記（１）、（２）又は（３）の多機能電子機器。
（５）前記多機能電子機器は、送信部および受信部を含む無線伝送装置であり、周波数、伝送モードおよび入出力電力を前記重要項目とする上記（１）乃至（４）の何れかの多機能電子機器。
（６）複数の設定用操作キー、確認用操作キーおよびこれら操作キーの近傍に配置された表示部に基づき多機能電子機器の複数の項目の確認、設定、変更の操作を行う多機能電子機器の操作方法において、前記複数の項目のうち重要な項目とそれ以外の項目を区別するステップと、前記設定用操作キーの操作に応じて前記表示部に各項目毎に階層状に表示するステップと、前記表示部に表示される前記複数の項目のうち前記重要な項目をそれ以外の項目より大きなサイズで表示するステップとを備える多機能電子機器の操作方法。
（７）前記表示部に表示される前記項目の確認画面から設定画面へ直接切り替えるショートカットステップを更に備える上記（６）の多機能電子機器の操作方法。
【発明の効果】
【００１０】
本発明の多機能電子機器およびその操作方法によると、次の如き実用上の顕著な効果を有する。即ち、ユーザの要望に対応したスイッチ項目設定等のカスタマイズ機能が容易に実現可能である。また、ＬＣＤ表示を採用することにより、多数の項目の設定、確認および変更を容易且つ迅速に行うことが可能である。更に、各項目の重要度に応じてＬＣＤ表示のサイズや反転表示等を活用して操作性を大幅に改善することが可能である。
【発明を実施するための最良の形態】
【００１１】
以下、本発明による多機能電子機器およびその操作方法の好適実施の形態の構成および動作を、添付図面を参照して詳細に説明する。
【００１２】
先ず、図１は、本発明による多機能電子機器の好適な実施の形態である無線伝送装置（以下、ＦＰＵ装置という）の主要部である操作部の構成を示すブロック図である。このＦＰＵ装置１０は、その操作部として、確認用操作キー１１、設定用操作キー１２、固定記憶部（ＥＥＰＲＯＭ）１３、制御部（ＣＰＵ：中央処理装置）１４、表示部（ＬＣＤ：液晶表示パネル）１５、書き換え可能な記憶部（フラッシュメモリ）１６およびランダムアクセスメモリ（ＲＡＭ）１７により構成される。
【００１３】
図１のＦＰＵ装置１０において、確認用操作キー１１、設定用操作キー１２、ＥＥＰＲＯＭ１３、ＬＣＤ１５、フラッシュメモリ１６およびＲＡＭ１７は、ＣＰＵ１４に接続されている。特に、ＥＥＰＲＯＭ１３、ＬＣＤ１５、フラッシュメモリ１６およびＲＡＭ１７は、ＣＰＵ１４に対して双方向に接続されており、後述する如くＣＰＵ１４と協働して動作する。
【００１４】
ここで、確認用操作キー１１は、設定用操作キー１２により設定された各種パラメータや状態を確認するためのキーであり、複数のキーにより構成される。設定用操作キー１２は、ＦＰＵ装置１０のユーザがこの装置の各種項目（パラメータ等）を選択設定するためのキーであり、後述する如く選択設定部分を上下左右へ移動させる方向指示（即ち、↑、↓、→および←）キー、ＥＳＣキー、ＳＥＴキー等を含む複数のキーよりなる。ＥＥＰＲＯＭ１３は、ユーザに固有な情報であるカスタマイズデータを記憶する固定記憶部である。ＣＰＵ１４は、上述した各部とデータの入出力を行い、各部の動作を制御するする制御部である。ＬＣＤ１５は、好ましくはドットマトリクス方式のカラー液晶表示パネルであり、後述する如く、ユーザとのインタフェースを司る。フラッシュメモリ１６は、ＣＰＵ１４に所定の制御動作を行わせるためのプログラムを記憶する記憶部である。ＲＡＭ１７は、プログラムを展開する作業領域である。
【００１５】
次に、図２は、図１に示すＦＰＵ装置１０の操作パネル（又は全面パネル）、特に確認用操作キー１１、設定用操作キー１２およびＬＣＤ（表示部）１５の構成および配置の具体例を示す。図２に示す具体例では、操作パネルの上部左に複数のキーよりなる確認用操作キー１１が配置され、上部右側に複数のキーよりなる設定用操作キー１２に配置され、これら確認用操作キー１１および設定用操作キー１２の中間に矩形状のＬＣＤ１５が配置されている。
【００１６】
ＬＣＤ１５は、ＦＰＵ装置１０のユーザが各種設定や状態の確認するヒューマンインタフェース部であって、図２に示す如くＦＰＵ装置１０の操作パネル上の確認用操作キー１１および設定用操作キー１２間に配置して、ユーザによる設定、確認および変更等を効率的に行えるように操作性を考慮して配置されている。
【００１７】
ＦＰＵ装置１０は、無線伝送装置であるので、ユーザ毎に異なる又は時間と共に変化する通信環境等に応じて、周波数、出力電力／入力電界、伝送モード等の電波に関連する種々の項目をユーザが設定用操作キー１２および確認用操作キー１１を操作して設定、確認および変更する必要がある。これらの操作の際に、ユーザは、ＬＣＤ１５の表示を見ながら行う。以下、図３（Ａ）乃至（Ｅ）を参照して、本発明によるＦＰＵ装置１０の操作方法乃至操作手順の好適な実施の形態について説明する。
【００１８】
図３（Ａ）乃至（Ｅ）は、図１に示すＦＰＵ装置１０の各動作モードにおけるＬＣＤ１５の表示例を示す。先ず、図１（Ａ）は、送信機用のメイン画面であり、電波を出していないスタンバイ（ＳＴＡＮＤ−ＢＹ）状態の例である。この場合のＬＣＤ１５の表示画面には、複数の項目が異なるサイズ（大きさ）で表示されていることに注目されたい。即ち、周波数（例えば、Ｃ１）、伝送モード（例えば、ＱＡＭ）および出力電力（ＳＴＢＹ：スタンバイ）等の電波に関する重要項目は、その他の項目よりも大きなサイズ（例えば、縦および横が夫々２倍で全体として４倍）で表示されている。斯かる表示方式の採用により、ユーザは、重要項目の設定をＬＣＤ１５の表示から一目瞭然に判断可能できる。尚、この状態で、他の項目の表示として、例えばＳＨＦパワーであり、「低」（又はＬｏ）の場合には０．１ワット、「中間」（又はＭｉｄ）の場合には０．５ワット、「高」（又はＨｉｇｈ）の場合には１．５ワットであることを表示している。
【００１９】
次に、図３（Ｂ）は、送信機が電波を出している状態でのＬＣＤ１５の表示例を示す。この状態でも、周波数（Ｃ１）、伝送モード（ＱＡＭ）および出力電力（１．５Ｗ）は、他の項目より大きいサイズで表示すること、図３（Ａ）の場合と同様である。しかし、この状態では出力電力が特に重要であるので、ユーザの関心を引くように白黒反転表示（又は白抜き表示）している。図３（Ｂ）の特定例では、出力電力が１．５Ｗの「高」レベルであることを示している。尚、図３（Ｂ）のＬＣＤ１５には、上述した電波に関する重要な項目と共に、最大電力を１．５Ｗに設定した状態で、現在の送信出力（ＰＷＲ）を横長の表示バーで表示している。図３（Ｂ）の特定例では、現在の送信出力が−１．４ｄＢであることを表示バーと共に小サイズの文字で表示している。これにより、ユーザは、送信機の送信電力の瞬時値を知ることが可能である。
【００２０】
次に、図３（Ｃ）は、ＬＣＤ１５による送信機が電波を出している状態でのＣＯＤＥＣ（符号／復号）確認画面の具体例を示す。このＬＣＤ表示の具体例では、最上行に周波数（Ｃ１）、伝送モード（ＱＡＭ）、出力電力（１．５Ｗ）を大きいサイズで表示している。その次の行以降に、ＣＯＤＥＣ、ＶＩＤＥＯ、ＶＲＡＴＥ（伝送速度）、ＦＭＴ、ＣＲＭおよびＧＯＰを小サイズで表示している。尚、このＬＣＤ表示画面でも、重要項目である出力電力は、図３（Ｂ）で上述した如く反転表示している。
【００２１】
次に、受信機のＬＣＤ表示例について、図３（Ｄ）および（Ｅ）を参照して説明する。図３（Ｄ）は、受信機のメイン画面である。このＬＣＤ表示画面でも、重要項目である周波数（Ｃ１）、伝送モード（ＱＡＭ）および入力電界（入力電界強度：−５９ｄＢｍ）は、大きなサイズで表示している。一方、比較的重要度の低いその他の項目は、例えばｕＬＶ、ＭＥＲおよびＤＬＹである。ここで、ｕＬＶは横バーにて表示され、ＭＥＲは横バーと共にｄＢ単位の数字で表示される。また、ＤＬＹはＩおよびＱ毎に数字で表示される。
【００２２】
最後に、図３（Ｅ）は、受信機のＭＯＤＥＭ確認画面の表示例である。この具体例では、上述の場合と同様に、重要項目である周波数（Ｃ１）、伝送モードおよび出力電力は、大きなサイズで表示される。一方、比較的重要度の低い項目であるＴＳＲ、ＭＯＤおよびＦＥＣは、小サイズの数字で表示される。
【００２３】
次に、図４を参照してＦＰＵ装置１０のカスタマイズ対応機能について説明する。ＦＰＵ装置１０は、ユーザ（又はカスタマ）毎に最適な異なる設定、即ちカスタマイズ対応とすることが好ましい。そこで、本発明のＦＰＵ装置１０にあっては、図４（Ａ）に示す如く、操作パネル上のＬＣＤ１５の下方に複数のカスタマイズ対応用の操作スイッチ１８を設け、ユーザ毎に操作項目が異なる場合に対応可能にしている。即ち、ＬＣＤ１５を使用して、ユーザ毎に各スイッチ１８の操作項目を設定し、このカスタマイズ情報を、カスタマイズデータ記憶部である図１に示すＥＥＰＲＯＭ１３に格納する。
【００２４】
図４（Ｂ）は、上述したカスタマイズ機能によるカスタマイズ情報の設定手順を示すＬＣＤ１５の表示画面の具体例である。図４（Ｂ）の上側のＬＣＤ表示画面１５Ａは、スイッチ指定（ｓｗｉｔｃｈ  ａｓｓｉｇｎ）画面の具体例である。この具体例では、１）ｉｎｐｕｔ、２）ａｕｄｉｏおよび３）ｍｏｄｅであり、現在設定中の項目（例えば、１）ｉｎｐｕｔ）が、他の項目より大きいサイズで表示され、ユーザによる設定を容易にしている。
【００２５】
一方、図４（Ｂ）の下側のＬＣＤ表示画面１５Ｂには、上述した上側の設定画面１５Ａで設定中であるｉｎｐｕｔに関する設定の具体例が示されている。即ち、この具体例では、ｉｎｐｕｔとして、６個のスイッチ接点ＳＷ０１〜ＳＷ０６があり、それぞれｂｅｒ、ｓｄ−ｔｅｓｔ、ｈｄ−ｔｅｓｔ、ａｓｉ、ｖｂｓおよびｓｄ−ｓｄｉが設定されている。勿論、スイッチ接点の数や、スイッチの各接点に対する項目指定は、ユーザが任意に設定又は変更可能である。
【００２６】
次に、図５および図６を参照して、本発明におけるＦＰＵ装置１０の操作方法の好適な実施の形態について説明する。これら図５および図６は、ＦＰＵ装置１０の設定用操作キー１２の操作により変化するＬＣＤ１５の表示の具体例を説明するシーケンス図である。
【００２７】
先ず、図５を参照して「ＭＯＤＥＭ確認画面」から「ＭＯＤＥＭ設定画面」への切り替え操作を説明する。図３（Ｅ）に示す如きＭＯＤＥＭ確認画面が表示されている（ステップＡ１）。ここで、設定用操作キー１２の１つであるＥＳＣキーを操作すると、図３（Ｄ）に示す如きメイン画面に戻る（ステップＡ２）。次に、設定用操作キー１２の１つであるＳＥＴキーを操作すると、ＬＣＤメニュー画面（階層１）が表示される（ステップＡ３）。ＳＥＴキーを再度操作すると、ＬＣＤメニュー画面（階層２）が表示される（ステップＡ４）。↓キー、↓キーおよびＳＥＴキーを操作すると、ＬＣＤメニュー画面の階層３が表示される（ステップＡ５）。以下、ＳＥＴキーを操作する毎に階層４（ステップＡ６）および階層５（ステップＡ７）に切り替えられる。このＬＣＤ表示画面によりユーザが希望する項目（ＬＣＤ表示中に反転表示されている項目）の設定又は変更を行う。
【００２８】
尚、ショートカットの場合には、ステップＡ１の「ＭＯＤＥＭ確認画面」の表示状態において設定用操作キー１２のＳＥＴキーをユーザが操作することにより、上述したステップＡ１からステップＡ７へＬＣＤ表示画面が直接切り替えられるので、「ＭＯＤＥＭ確認画面」から「ＭＯＤＥＭ設定画面」への切り替えを迅速に行いユーザの操作性を大幅に改善できる。
【００２９】
次に、図６を参照して説明する。図６は、ＦＰＵ装置１０からユーザへのＡＬＡＲＭ（警告）を確認するための「ＡＬＡＲＭ確認画面」から「ＡＬＡＲＭ詳細画面」への切替操作を説明するＬＣＤ表示画面の切替又は変化を示すシーケンス図である。
【００３０】
先ず、ＡＬＡＲＭ確認画面が表示されている（ステップＢ１）。この状態で、ユーザが設定用操作キー１２の１つであるＥＳＣキーを操作すると、図３（Ｄ）に示す如きメイン画面が表示される（ステップＢ２）。次に、設定用操作キー１２のＳＥＴキーをユーザが操作すると、ＬＣＤメニュー画面（階層１）が表示される（ステップＢ３）。このＬＣＤメニュー画面には、例えば１）ＰＲＥＳＥＴ、２）ＳＣＲＡＭＢＬＥ、３）ＡＬＡＲＭ、４）ＯＰＴＩＯＮＳ、５）ＥＮＧＩＮＥＥＲＩＮＧおよび６）ＤＩＳＰＬＡＹ  ＯＰＴＩＯＮＳが表示される。そこで、３）を選択すると、ＡＬＡＲＭが大きなサイズで表示される。更に、↓キー、↓キーとＳＥＴキーを操作することにより、ＬＣＤメニュー画面（階層２）が表示される（ステップＢ４）。このＡＬＡＲＭ詳細画面では、ＡＬＡＲＭの詳細、例えば１）ＡＬＡＲＭ  ＤＩＳＰＬＡＹ（ＡＬＡＲＭの内容表示）、２）ＡＬＡＲＭ  ＣＬＥＡＲ（ＡＬＡＲＭの取り消し）および３）ＴＩＭＥＲ  ＳＥＴ（タイマの設定）が選択可能に表示される。
【００３１】
尚、この場合においても、上述した図５の場合と同様に、「ＡＬＡＲＭ確認画面」（ステップＢ１）において設定用操作キー１２のＳＥＴキーをユーザが操作することにより、上述した「ＡＬＡＲＭ詳細画面」（ステップＢ４）へ直接ジャンプ（ショートカット）することにより操作性を改善することができる。
【００３２】
以上、本発明による無線伝送装置およびその操作方法の好適な実施の形態の構成および動作を詳述した。しかし、斯かる実施の形態は、本発明の単なる例示に過ぎないことに留意されたい。本発明の要旨や精神を逸脱することなく、特定用途に応じて、種々の変形変更が可能であること、当業者には容易に理解できよう。
【図面の簡単な説明】
【００３３】
【図１】本発明による多機能電子機器の好適実施の形態であるＦＰＵ装置の操作部の構成を示すブロック図である。
【図２】図１に示すＦＰＵ装置の操作パネルの具体例を示す図である。
【図３】（Ａ）〜（Ｅ）は、図１に示すＦＰＵ装置の種々の状態における表示部の具体的な表示例である。
【図４】図１に示すＦＰＵ装置の操作スイッチのカスタマイズ機能の説明図であり、（Ａ）は図１に示すＦＰＵ装置のフロントパネルの配置図、（Ｂ）はその表示部の表示例である。
【図５】図１に示すＦＰＵ装置における表示部のＭＯＤＥＭ確認画面からＭＯＤＥＭ設定画面への変化の様子を説明するシーケンス図である。
【図６】図１に示すＦＰＵ装置における表示部のＡＬＡＲＭ確認画面からＡＬＡＲＭ詳細画面への変化の様子を説明するシーケンス図である。
【符号の説明】
【００３４】
１０  ＦＰＵ装置（多機能電子機器）
１１  確認用操作キー
１２  設定用操作キー
１３  記憶部
１４  制御部（ＣＰＵ）
１５  表示部（ＬＣＤ）
１８  操作スイッチ
【図１】
2008108152.tif 000003
【図２】
2008108152.tif 000004
【図３】
2008108152.tif 000005
【図４】
2008108152.tif 000006
【図５】
2008108152.tif 000007
【図６】
2008108152.tif 000008